(57)【要約】【課題】子供搭乗時に、速やかに子供向けの楽曲を再生可能とする。【構成】チャイルドロックがオンであるドアの開状態から閉状態への変化や、チャイルドシートベルトのプレートのバックルに対するロック状態の発生や、シート荷重センサ４による１７Ｋｇから３０Ｋｇの間の荷重の所定期間以上の検知の継続があったならば、ＡＶ制御装置８は、オーディオ再生装置１３に対して、ＡＶ制御バス１１を介して、子供用のカテゴリに属するプレイリストを再生対象プレイリストとして設定するよう要求する【選択図】図１
2004262347.tif 000002
【特許請求の範囲】
【請求項１】
自動車に搭載される車載システムであって、
音声と動画とのうちの少なくとも音声を含むコンテンツの出力を行うコンテンツ出力機器と、
自動車への子供の搭乗を検知するチャイルド搭乗検知手段と、
自動車への子供の搭乗が検知された場合に、前記コンテンツ出力機器の状態を、予め定めた子供向けコンテンツの出力状態、または、予め定めた子供向けコンテンツの出力スタンバイ状態に制御する制御手段とを有することを特徴とする車載システム。
【請求項２】
自動車に搭載される車載システムであって、
コンテンツの出力を行うコンテンツ出力機器と、
自動車への子供の搭乗を検知するチャイルド搭乗検知手段と、
自動車への子供の搭乗が検知された場合に、以降のユーザによる、前記コンテンツ出力機器の予め定めた種類の操作を禁止する制御手段とを有することを特徴とする車載システム。
【請求項３】
請求項１記載の車載システムであって、
前記コンテンツ出力機器は、音楽を出力する装置であって、
前記制御手段は、自動車への子供の搭乗が検知された場合に、前記コンテンツ出力機器に、予め定めた音楽のカテゴリに属する音楽を当該コンテンツ出力機器が出力の対象とすることのできる音楽の内から検索させると共に、前記コンテンツ出力機器の状態を、前記検索によって検索された音楽の出力状態、または、前記検索によって検索された音楽の出力スタンバイ状態に制御することを特徴とする車載システム。
【請求項４】
請求項１、２または３記載の車載システムであって、
チャイルドロックのオン／オフ状態を検出するチャイルドロックセンサを備え、
前記チャイルド搭乗検知手段は、自動車へのユーザ搭乗時に、前記チャイルドロックセンサが、チャイルドロックのオンを検出している場合に、自動車への子供の搭乗を検知することを特徴とする車載システム。
【請求項５】
請求項１、２または３記載の車載システムであって、
チャイルドシートへの子供の着席を検知するチャイルドシートセンサを備え、
前記チャイルド搭乗検知手段は、前記チャイルドシートセンサがチャイルドシートへの子供の着席を検知した場合に、自動車への子供の搭乗を検知することを特徴とする車載システム。
【請求項６】
コンテンツの出力を行うコンテンツ出力機器の動作を制御するコンテンツ出力機器の制御方法であって、
自動車への子供の搭乗を検知するステップと、
自動車への子供の搭乗が検知された場合に、前記コンテンツ出力機器の状態を、予め定めた子供向けコンテンツの出力状態、または、予め定めた子供向けコンテンツの出力スタンバイ状態に制御するステップとを有することを特徴とするコンテンツ出力機器の動作制御方法。
【請求項７】
コンテンツの出力を行うコンテンツ出力機器の動作を制御するコンテンツ出力機器の制御方法であって、
自動車への子供の搭乗を検知するステップと、
自動車への子供の搭乗が検知された場合に、以降のユーザによる、前記コンテンツ出力機器の予め定めた種類の操作を禁止するステップとを有することを特徴とするコンテンツ出力機器の動作制御方法。
【発明の詳細な説明】
【０００１】
【発明の属する技術分野】
本発明は、オーディオ装置やビデオ装置などの車載システムの利用環境を子供向けに自動調整する技術に関するものである。
【０００２】
【従来の技術】
一般的に、自動車に搭載されるオーディオ装置やビデオ装置などの車載システムの動作は、通常、子供が自動車に搭乗しているか否かとは無関係に、ユーザの操作に応じて一義的に制御されるものである。
なお、子供が自動車に搭乗しているか否かを考慮して自動車に関するユーザ環境を調整する技術としては、チャイルドロックが施されているドアのウインドウ操作を強制的に禁止する技術が知られている（たとえば、特開２００２−８１２４３号公報）。ここで、チャイルドロックとは、ドア閉状態では操作できない位置に設けたチャイルドロックスイッチがオン状態にあるときには、車内から、そのドアを開けないようにする機構である。
【０００３】
この出願の発明に関連する先行技術文献情報としては以下のものがある。
【０００４】
【特許文献１】
特開２００２−８１２４３号公報
【０００５】
【発明が解決しようとする課題】
さて、自動車に子供を同乗させる場合には、成人を同乗させる場合とは異なる特段の配慮が必要となる。たとえば、子供を自動車に乗せた後、子供を退屈させないためや、所用の作業を子供に煩わさずに行えるようにするために、速やかに子供に適したコンテンツの車載システムからの出力を開始することが望ましい場合がある。
【０００６】
しかし、その一方で、たとえば、車載オーディオシステムなどにおいては、ＨＤＤなどの音楽記憶媒体の大容量化や、オーディオ放送チャネルの多チャンネル化などに伴い、ユーザが、出力するオーディオコンテンツの選択を多数のコンテンツの内から行う必要が生じている。そして、このために、子供に適したコンテンツの出力開始を速やかに行うことが困難となっている。
【０００７】
また、自動車に子供を同乗させる場合には、子供の悪戯などによって車載システムの不適切な操作が行われないように、車載システムのリモートコントローラを子供の手の届かないところに移動するなどの煩雑な作業を行う必要がある。
すなわち、従来の車載システムは、その利用環境が子供向けに設定されたものではないために、子供を搭乗させたときに、さまざまな不都合が生じていた。
そこで、本発明は、子供搭乗時に、ユーザの煩雑な操作を必要とすることなしに、速やかに車載システムの利用環境を子供向けに自動調整することを課題とする。
【０００８】
【課題を解決するための手段】
前記課題達成のために、本発明は、自動車に搭載される車載システムを、音声と動画とのうちの少なくとも音声を含むコンテンツの出力を行うコンテンツ出力機器と、自動車への子供の搭乗を検知するチャイルド搭乗検知手段と、自動車への子供の搭乗が検知された場合に、前記コンテンツ出力機器の状態を、予め定めた子供向けコンテンツの出力状態、または、予め定めた子供向けコンテンツの出力スタンバイ状態に制御する制御手段とを含めて構成したものである。
【０００９】
より具体的には、たとえば、前記コンテンツ出力機器を、音楽を出力する装置として、前記制御手段において、自動車への子供の搭乗が検知された場合に、前記コンテンツ出力機器に、子供用のカテゴリとして予め定めた音楽のカテゴリに属する音楽を当該コンテンツ出力機器が出力の対象とすることのできる音楽の内から検索させると共に、前記コンテンツ出力機器の状態を、前記検索によって検索された音楽の出力状態、または、前記検索によって検索された音楽の出力スタンバイ状態に制御するようにする。
【００１０】
これらの車載システムによれば、子供の搭乗後、速やかに、予め定めた子供向けの音楽などの子供が好む又は子供に適したコンテンツの出力を開始することができるようになる。
また、本実施形態は、前記課題達成のために、自動車に搭載される車載システムを、コンテンツの出力を行うコンテンツ出力機器と、自動車への子供の搭乗を検知するチャイルド搭乗検知手段と、自動車への子供の搭乗が検知された場合に、以降のユーザによる、前記コンテンツ出力機器の予め定めた種類の操作を禁止する制御手段とを含めて構成したものである。
【００１１】
このような、車載システムによれば、子供の搭乗時には、自動的に前記コンテンツ出力機器の予め定めた種類の操作を禁止することによって、子供によって車載システムの不適切な操作が行われないようにすることができる。
ここで、チャイルド搭乗検知手段による自動車への子供の搭乗の検知は、たとえば、チャイルドロックのオン／オフ状態を検出するチャイルドロックセンサを備え、前記チャイルド搭乗検知手段において、自動車へのユーザ搭乗時に、前記チャイルドロックセンサが、チャイルドロックのオンを検出している場合に、自動車への子供の搭乗を検知するようにしたり、チャイルドシートへの子供の着席を検知するチャイルドシートセンサを備え、前記チャイルド搭乗検知手段において、前記チャイルドシートセンサがチャイルドシートへの子供の着席を検知した場合に、自動車への子供の搭乗を検知するようにしたり、リアシートもしくは助手席シートもしくはチャイルドシートへに加わる荷重を検知する荷重センサを備え、前記チャイルド搭乗検知手段において、前記荷重センサが所定範囲の荷重を検知した場合に、自動車への子供の搭乗を検知するようにすることにより実現できる。
【００１２】
【発明の実施の形態】
以下、本発明の実施形態について説明する。
図１ａに、本実施形態に係る車載ＡＶシステムの構成を示す。
図示するように、車載ＡＶ（Ａｕｄｉｏ  Ｖｉｓｕａｌ）システムは、各ドアの開閉状態を検知するドア状態センサ１と、各リアドアのチャイルドロックのオン／オフ状態を検知するチャイルドロックセンサ２と、チャイルドシートのチャイルドシートベルトのプレートとバックルのロック状態または自動車に装備されたチャイルド用シートベルトのプレートとバックルのロック状態を検知するチャイルドシートベルトセンサ３、リアシートまたはナビゲータシートに搭乗者によって加えられる荷重を計測するシート荷重センサ４と、自動車各部の電子制御を行う電子制御ユニット（ＥＣＵ）５と、ドアロック制御ユニット６を有している。ここで、ＥＣＵ５には、以上の各センサの出力が入力されている。また、ドアロック制御ユニット６はキーレスエントリ装置や集中ロック装置などを含む、自動車のドアのロック制御を統括するユニットであり、ＥＣＵ５と電子制御バスで接続されており、ドアロック制御ユニット６はユーザのドアのロック／リリース操作を電子制御バス７を介してＥＣＵ５に通知し、ＥＣＵ５からの制御に従ってドアのロック／リリースを実行する。なお、電子制御バス７には、この他にも、ＥＣＵ５に制御等される各種装置が接続される。
【００１３】
また、電子制御バス７には、各種ＡＶ機器の動作を制御するＡＶ制御装置８が接続されており、このＡＶ制御装置８には、ドライバ用のＡＶ機器の操作装置であるドライバ操作装置９と、リモートコントローラなどの、他の搭乗者用のＡＶ機器の操作装置であるゲスト操作装置１０が有線または無線で接続される。そして、ＡＶ制御装置８には、ＡＶ制御バス１１を介して、ＨＤＤなどのオーディオ記憶媒体１２に格納されたオーディオコンテンツを再生するオーディオ再生装置１３や、ラジオチューナ１４や、モニタ１５に映像を出力するＴＶチューナ１６や、オーディオ再生装置１３やラジオチューナ１４やＴＶチューナ１６の出力音声を増幅してスピーカ１７に出力するオーディオアンプ１８などの各種ＡＶ機器が接続されており、ＡＶ制御装置８は、ＡＶ制御バス１１を介して、これらＡＶ機器の動作を制御する。
【００１４】
さて、図１ｂは、このようなＡＶシステムにおける、ドア状態センサ１や、チャイルドロックセンサ２や、チャイルドシートベルトセンサ３や、シート荷重センサ４や、ゲスト操作装置１０や、ドライバ操作装置９の配置例を示したものである。
【００１５】
次に、図２ａに、ＡＶ制御装置８の内部構成を示す。
図示するように、ＡＶ制御装置８は、ドライバ操作装置９との間の入出力を処理するドライバ操作装置インタフェース８１、ゲスト操作装置１０との間の入出力を処理するゲスト操作装置インタフェース８２、電子制御バス７との間の入出力を処理する電子制御バスインタフェース８３、ＡＶ制御バス１１との間の入出力を処理するＡＶ制御バスインタフェース８４、機器制御部８５と、チャイルド利用環境定義テーブル８６とを有する。
【００１６】
そして、図２ｂに示すようにチャイルド利用環境定義テーブル８６には、オーディオ再生装置１３、ラジオチューナ１４、ＴＶチューナ１６の各ＡＶ機器について、子供搭乗時に、優先的に出力させるコンテンツの種類の指定が記述される。すなわち、オーディオ再生装置１３については、子供搭乗時に優先的に出力させる音楽のカテゴリ（たとえば、アニメ主題歌等）が優先カテゴリとして記述され、ラジオチューナ１４については、子供搭乗時に優先的に出力させるオーディオ放送のチャネル（たとえば、アイドル専門チャネル等）が優先チャネルとして記述され、ＴＶチューナ１６については、子供搭乗時に優先的に出力させるＴＶ放送のチャネル（たとえば、アニメ専門チャネル等）が優先チャネルとして記述される。また、ラジオチューナ１４とＴＶチューナ１６については、子供搭乗時に出力を禁止するチャネル（たとえば、アダルト専門チャネル等）が禁止チャネルとして記述される。なお、ここでいうラジオ放送やＴＶ放送は、インターネット放送などのネットワークを介して行われる放送を含み、この場合には、各チャネルとは放送局のＵＲＬを示すことになる。
【００１７】
また、チャイルド利用環境定義テーブル８６には、チャイルド搭乗時に禁じるゲスト操作装置１０を用いた操作の内容（たとえば、ボリューム操作等）が記述される。
なお、このようなチャイルド利用環境定義テーブル８６の内容は、予めユーザの編集操作に応じて機器制御部８５が設定する。
以下、このような車載ＡＶシステムの動作について説明する。
さて、ＡＶ制御装置８の機器制御部８５は、電子制御バス７を介して定期的にＥＣＵ５に、ドアロック制御ユニット６からの車両外部からのドアロック解除操作に応じて全てのドアがロックされている状態からのドアロックの解除を行ったかどうかを問い合わせ、そのような車両外部からのドアロック解除操作によるドアロック解除を行っていれば、ユーザが自動車に搭乗したものと見なして、図３に示すＡＶ機器制御処理を開始する。
【００１８】
図示するように、このＡＶ機器制御処理では、処理を開始すると、ドライバ操作装置９またはゲスト操作装置１０からのユーザ操作の入力があるまで（ステップ３０８）、ＥＣＵ５から、ドア状態センサ１、チャイルドロックセンサ２、チャイルドシートベルトセンサ３、シート荷重センサ４の状態を定期的に取得し、チャイルドロックがオンであるドアの開状態から閉状態への変化の発生（ステップ３０２）、チャイルドシートベルトのプレートのバックルに対するロック状態の発生（ステップ３０４）と、シート荷重センサ４による１７Ｋｇから３０Ｋｇの間の荷重の所定期間（たとえば、３秒）以上の検知の継続の発生（ステップ３０６）を監視する。
【００１９】
なお、以下の処理は、チャイルドロックがオンであるドアの開状態から閉状態への変化を、チャイルドロックされたドア寄りの席への子供の搭乗によるものと推定し、チャイルドシートベルトのプレートのバックルに対するロック状態の発生を、子供のチャイルドシートの着席によるものと推定し、シート荷重センサ４による１７Ｋｇから３０Ｋｇの間の荷重の所定期間以上の検知の継続を、シート荷重センサ４設置席への子供の搭乗によるものと推定して行うものである。なお、子供の搭乗を推定するシート荷重センサ４による検知荷重を１７Ｋｇから３０Ｋｇとしたのは、荷物のシート荷重センサ４設置席シート上への載置や大人のシート上への着席を子供の搭乗と誤推定することを避けつつ、チャイルドシートの使用を卒業した年頃の子供のシート上への着席を確度よく推定するためである。
【００２０】
さて、以上のような子供の搭乗によるものと推定される事象がステップ３０２、３０４、３０６の監視において検出される前に、ドライバ操作装置９またはゲスト操作装置１０からのユーザ操作の入力があった場合には（ステップ３０８）、そのままステップ３１０に進む。
【００２１】
一方、ドライバ操作装置９またはゲスト操作装置１０からのユーザ操作の入力前に（ステップ３０８）、以上のような子供の搭乗によるものと推定される事象がステップ３０２、３０４、３０６の監視において検出された場合には、まず、チャイルドモードを設定し（ステップ３１８）、ＡＶ制御バス１１を介して、ラジオチューナ及びＴＶチューナ１６に、各々、チャイルド利用環境定義テーブル８６に設定されている優先チャネルをカレントチャネルとして設定する（ステップ３２０）。ここで、カレントチャネルとは、ラジオチューナ及びＴＶチューナ１６が、出力動作時に、コンテンツの受信の対象とするチャネルである。
【００２２】
また、オーディオ再生装置１３に対しては、ＡＶ制御バス１１を介して、チャイルド利用環境定義テーブル８６に設定されている優先カテゴリに属するプレイリストをカレントプレイリストとして設定するよう要求する（ステップ３２２）。ここで、オーディオ記憶媒体１２には、音楽のオーディオファイルと、ユーザによって音楽のカテゴリ毎に分類されたプレイリストが記憶されている。プレイリストとは、オーディオファイルのリストであり、オーディオ再生装置１３は、カレントプレイリストが設定されている場合、再生開始を指示されると、カレントプレイリストに設定されているプレイリストに登録されたオーディオファイルを順次再生する。そして、オーディオ再生装置１３は、機器制御部８５より、優先カテゴリに属するプレイリストをカレントプレイリストとして設定するよう要求されると、優先カテゴリに属するプレイリストを一つオーディオ記憶媒体１２から検索し、カレントプレイリストに設定する。
【００２３】
次に、このようにしてカレントチャネルとカレントプレイリストを設定しなならば、機器制御部８５は、ドライバ操作装置９またはゲスト操作装置１０からのユーザ操作の入力を待って（ステップ３２４）、ステップ３１０に進む。
さて、ステップ３１０では、チャイルドモードが設定されているかどうかを調べ、設定されていない場合には、入力されたユーザ操作に従ったＡＶ機器の動作制御を行い（ステップ３１２）、ステップ３１４に進む。また、チャイルドモードが設定されている場合には（ステップ３１０）、入力されたユーザ操作がゲスト操作装置１０から入力されたものであって、チャイルド利用環境定義テーブル８６に子供搭乗時に禁止が設定されている操作か、チャイルド利用環境定義テーブル８６に登録されている禁止チャネルへのカレントチャネルの切り替え操作であるかどうかを調べ（ステップ３２６）、そうであれば、操作に応じたＡＶ機器の制御は行わずに操作を無視し、そのままステップ３０８に戻り、次のユーザ操作の入力を待つ。一方、禁止が設定されている操作でなく禁止チャネルへのカレントチャネルの切り替え操作でもなければ（ステップ３２６）、入力されたユーザ操作に従ったＡＶ機器の動作制御を行い（ステップ３１２）、ステップ３１４に進む。
【００２４】
ここで入力されたユーザ操作に従ったＡＶ機器の動作制御には以下のものが含まれる。すなわち、機器制御部８５は、ユーザ操作がラジオチューナ１４の出力開始操作である場合には、ラジオチューナ１４にカレントチャネルに設定されたチャネルからのコンテンツ受信及び受信コンテンツのオーディオアンプ１８への出力を開始させると共に、オーディオアンプ１８にラジオチューナ１４の出力音声をスピーカ１７に出力させる。また、ユーザ操作がＴＶチューナ１６の出力開始操作である場合には、ＴＶチューナ１６にカレントチャネルに設定されたチャネルからのコンテンツ受信及び受信コンテンツのオーディオアンプ及びモニタ１５への出力を開始させると共に、オーディオアンプ１８にＴＶチューナ１６の出力音声をスピーカ１７に出力させる。また、ユーザ操作がオーディオ再生装置１３の再生開始操作である場合には、オーディオ再生装置１３にカレントプレイリストに設定されたの再生及び再生オーディオのオーディオアンプ１８への出力を開始させると共に、オーディオアンプ１８にオーディオ再生装置１３の出力音声をスピーカ１７に出力させる。
【００２５】
また、入力されたユーザ操作に従ったＡＶ機器の動作制御には、オーディオアンプ１８が音声を出力するＡＶソース機器の切り替えや、ラジオチューナ１４やＴＶチューナ１６のカレントチャネルの切り替えや、オーディオ再生装置１３のカレントプレイリストの切り替えや、オーディオアンプ１８の出力音量切り替えなども含まれる。
【００２６】
さて、ステップ３１４では、電子制御バス７を介してＥＣＵ５に、ドアロック制御ユニット６からの車両外部からのドアロック操作の通知に応じて全てのドアをロックした状態に制御したかどうかを問い合わせ、前回の問い合わせ以降に全てのドアをロックした状態に制御していなければステップ３０８に戻り、次のユーザ操作の入力を待つ。一方、前回の問い合わせ以降に車両外部からのドアロック操作の通知に応じて全てのドアをロックした状態に制御していれば、ユーザが自動車から降車したものと見なして、チャイルドモードをクリア（ステップ３１６）した上で、処理を終了する。
【００２７】
以上、本発明の実施形態について説明した。
ところで、以上のＡＶ機器制御処理では、ステップ３２０や３２２でラジオチューナ及びＴＶチューナ１６に優先チャネルをカレントチャネルを設定したり、オーディオ再生装置１３に優先カテゴリに属するプレイリストをカレントプレイリストとして設定させた後に、ユーザの操作を待つことなく、ラジオチューナ１４とＴＶチューナ１６とオーディオ再生装置１３のいずれかに即座に出力を開始させるようにしても良い。また、以上では、ステップ３２２において、オーディオ再生装置１３に、優先カテゴリに属するプレイリストをカレントプレイリストに設定させたが、オーディオ記憶媒体１２に、オーディオファイルを当該オーディオファイルが子供向けの音楽を格納したものであるかどうかを示すタグ情報を付加して記録しておき、ステップ３２２において、オーディオ再生装置１３が優先カテゴリに属するオーディオファイルをタグ情報を基に検索して再生対象とするオーディオファイルに設定させるようにしても良い。
【００２８】
また、シート荷重センサ４はチャイルドシートへの荷重を検知するものとして、チャイルドシートへの子供の着席を検知するようにしても良い。
また、以上のＡＶ機器制御処理は、ラジオチューナ１４やＴＶチューナ１６やオーディオ再生装置１３以外のＡＶ装置や、その他の娯楽用装置に同様に適用可能である。すなわち、たとえば、ＷＥＢブラウザ装置を対象として、ステップ３１８においてチャイルドモードを設定した後に、ＷＥＢブラウザ装置を、予めチャイルド利用環境定義テーブル８６に指定しておいたＵＲＬのウェブページにアクセスするように制御したり、ＷＥＢブラウザ装置を、所定の音楽ダウンロードサービスサイトにアクセスして予めチャイルド利用環境定義テーブル８６に指定しておいたカテゴリの音楽のダウンロード用ファイルを検索するように制御したり、このようにして検索したダウンロード用ファイルをダウンロードしたり再生するように制御してよい。または、ＣＤチェンジャ付きのＣＤプレイヤやＤＶＤチェンジャ付きのＤＶＤプレイヤを対象として、ステップ３１８においてチャイルドモードを設定した後に、これらプレイヤを、予め設定しておいた子供向けのディスクをターンテーブル上にマウント、または、マウント及び再生するよう制御しても良い。
【００２９】
以上のように本実施形態によれば、チャイルドロックセンサ２やチャイルドシートベルトセンサ３やシート荷重センサ４の出力より子供の搭乗を推定して、ＡＶ機器に子供向けの音楽その他のコンテンツを出力をスタンバまたは出力させたり、ＡＶ機器の子供による不適切な操作を禁止したりすることができる。
【００３０】
【発明の効果】
以上のように、本発明によれば、子供搭乗時に、ユーザの煩雑な操作を必要とすることなしに、速やかに車載システムの利用環境を子供向けに自動調整することができる。
【図面の簡単な説明】
【図１】本発明の実施形態に係るＡＶシステムの構成を示すブロック図である。
【図２】本発明の実施形態に係るＡＶ制御装置の構成を示すブロック図である。
【図３】本発明の実施形態に係るＡＶ制御装置が行うＡＶ機器制御処理の手順を示すフローチャートである。
【符号の説明】
１…ドア状態センサ、２…チャイルドロックセンサ、３…チャイルドシートベルトセンサ、４…シート荷重センサ、５…ＥＣＵ、６…ドアロック制御ユニット、７…電子制御バス、８…ＡＶ制御装置、９…ドライバ操作装置、１０…ゲスト操作装置、１１…ＡＶ制御バス、１２…オーディオ記憶媒体、１３…オーディオ再生装置、１４…ラジオチューナ、１５…モニタ、１６…ＴＶチューナ、１７…スピーカ、１８…オーディオアンプ、８１…ドライバ操作装置インタフェース、８２…ゲスト操作装置インタフェース、８３…電子制御バスインタフェース、８４…ＡＶ制御バスインタフェース、８５…機器制御部、８６…チャイルド利用環境定義テーブル。
【図１】
2004262347.tif 000003
【図２】
2004262347.tif 000004
【図３】
2004262347.tif 000005